(57)【要約】【課題】十分な面積の表示部を有し、必要に応じて収容部と表示部を切り離すことができ、収容部と表示部を切り離さなくても収容部を開封して内容物を取り出すことが可能な包装袋を提供する。【解決手段】フィルム１１の間に内容物を収容する収容部１２と、フィルム１１の周囲をシールしたシール部１３と、フィルム１１の間に取り付けられてシール部１３の外周部に設けられた注出口１４と、収容部１２の周囲のシール部１３のうち注出口１４が配置された辺１３ａとは異なる辺１３ｃからフィルム１１が連続して形成された表示部１５と、シール部１３において表示部１５を収容部１２から分離可能な切り取り線１６を有する包装袋１０。【選択図】図１
2014227196.tif 000002
【特許請求の範囲】
【請求項１】
フィルムの間に内容物を収容する収容部と、
前記フィルムの周囲をシールしたシール部と、
前記フィルムの間に取り付けられて前記シール部の外周部に設けられた注出口と、
前記収容部の周囲のシール部のうち前記注出口が配置された辺とは異なる辺から前記フィルムが連続して形成された表示部と、
前記シール部において前記表示部を前記収容部から分離可能な切り取り線を有することを特徴とする包装袋。
【請求項２】
前記注出口が再封可能であることを特徴とする請求項１に記載の包装袋。
【請求項３】
前記シール部の前記表示部が形成された辺に対して前記収容部を介して対向する辺に、前記表示部が形成された辺に沿って折り込んだ前記表示部を係止する、係止部を有することを特徴とする請求項１または２に記載の包装袋。
【発明の詳細な説明】
【技術分野】
【０００１】
本発明は、表示部を有する包装袋に関する。
【背景技術】
【０００２】
従来より、包装袋等の容器には商品名や製造販売元の名称のほか、内容物の表示や使用方法の説明等、各種の情報が記載されている。近年、容器記載する情報量を多くする要望が高く、内容物の収容に必要な寸法では表示スペースを確保できないことがある。
表示スペースを拡大するため、表示部を付設する容器が提案されている。
【０００３】
特許文献１には、樹脂成形品の容器部の開口部を２つ折りの台紙に貼り合わせたブリスターパックが開示されている。
特許文献２には、内容液を収容する収容部を有する本体部に連続する保持部を有する吊下げ可能な包装袋において、収容部方向とは反対側に折り曲げ部を介して表示部を設け、さらに、収容部方向に出っ張る切断線に囲まれて第２表示部を区画形成させた包装袋が開示されている。
【先行技術文献】
【特許文献】
【０００４】
【特許文献１】特開２０００−２０３６３４号公報
【特許文献２】特開２００１−３１５８０３号公報
【発明の概要】
【発明が解決しようとする課題】
【０００５】
特許文献１に記載されたパック容器では、台紙とプラスチックケースを組み合わせるため、部品点数が多いこと、ごみの分別が不便であること、持ち運び時に大きい台紙がかさばることが欠点として挙げられる。また、内容物を取り出すには、台紙からプラスチックケースを取り外す必要がある。
【０００６】
特許文献２に記載された包装袋では、表示部と収容部が一体に形成されているため、表示部と収容部の分離が手間である。注出口が、本体部の上部（保持部のある側）でノッチから引き裂いて開封することから、詰め替え用に内容物を使い切りとする場合にしか適用できない。
【０００７】
このように、従来の容器は、表示部が不要であっても、収容部を開封することなく表示部を分離することが可能な構造ではない。また、内容物を繰り返し使用する等の目的で、表示部を残したい場合に、表示部を残したまま収容部を開封することを意図するものでもない。
【０００８】
本発明は、上記事情に鑑みてなされたものであり、十分な面積の表示部を有し、必要に応じて収容部と表示部を切り離すことができ、収容部と表示部を切り離さなくても収容部を開封して内容物を取り出すことが可能な包装袋を提供することを課題とする。
【課題を解決するための手段】
【０００９】
前記課題を解決するため、本発明は、フィルムの間に内容物を収容する収容部と、前記フィルムの周囲をシールしたシール部と、前記フィルムの間に取り付けられて前記シール部の外周部に設けられた注出口と、前記収容部の周囲のシール部のうち前記注出口が配置された辺とは異なる辺から前記フィルムが連続して形成された表示部と、前記シール部において前記表示部を前記収容部から分離可能な切り取り線を有することを特徴とする包装袋を提供する。
【００１０】
本発明の包装袋において、前記注出口が再封可能であることが好ましい。
また、前記シール部の前記表示部が形成された辺に対して前記収容部を介して対向する辺に、前記表示部が形成された辺に沿って折り込んだ前記表示部を係止する、係止部を有することが好ましい。
【発明の効果】
【００１１】
本発明によれば、包装袋に十分な面積の表示部を設けることができる。しかも、収容部と表示部を切り離すことができるのみならず、収容部と表示部を切り離さなくても収容部を開封して内容物を取り出すことが可能であるので、必要に応じて自由な使用が可能である。表示部に記載されている表示や情報等が必要であれば、表示部を残したまま内容物を使用することができる。表示部が必要なく、コンパクトにしたい場合は、収容物を開封することなく表示部を容易に分離することができる。
【図面の簡単な説明】
【００１２】
【図１】本発明の包装袋の第１実施形態を示し、（ａ）は平面図、（ｂ）は側面図、（ｃ）は表示部を収容部に係止した状態の側面図である。
【図２】本発明の包装袋の第２実施形態を示し、（ａ）は平面図、（ｂ）は側面図、（ｃ）は表示部を収容部に係止した状態の側面図である。
【図３】本発明の包装袋の第３実施形態を示す平面図である。
【発明を実施するための形態】
【００１３】
以下、好適な実施形態に基づき、図面を参照して本発明を説明する。
図１に、第１実施形態の包装袋の一例を示す。この包装袋１０は、図１（ｂ）に示すように、２枚のフィルム１１，１１の間に内容物を収容する収容部１２を有する。この収容部１２は、図１（ａ）に示すように、フィルム１１，１１の周囲をシールしたシール部１３により形成されている。また、フィルム１１，１１の間には、注出口１４が取り付けられている。注出口１４は、シール部１３の外周部に設けられ、これを通じて、収容部１２から内容物を取り出すことができる。
【００１４】
フィルムとしては、従来より使用されているものが使用可能である。例えば二軸延伸ポリプロピレン、二軸延伸ポリアミド、二軸延伸ポリエステル等からなるフィルムを基材フィルムとし、これらの基材フィルムに、低密度ポリエチレン、直鎖状低密度ポリエチレン、エチレン−酢酸ビニル共重合体、ポリプロピレン等のポリオレフィン系樹脂をシーラント層として積層した積層体が挙げられる。また、単層の樹脂フィルムを用いることもできる。積層フィルムを製造する方法としては、ドライラミネート法、押出ラミネート法、共押出法などが挙げられる。基材フィルム層とシーラント層との間には接着強度の向上のため、接着剤やアンカー剤等を設けることができる。この場合、包装袋の強度を高めるために基材フィルムを複数枚積層してもよい。あるいは気体や紫外線のバリア性を高めるため、アルミニウム箔等の金属箔、金属蒸着層、セラミック等の無機質蒸着層、エチレン−ビニルアルコール共重合体フィルムなどを積層してもよい。
【００１５】
シール部１３は、フィルム１１，１１の内面に設けたシーラント層を向かい合わせ、熱溶着（ヒートシール）や超音波シール等により気密に形成することができる。図１の包装袋１０は、２枚の同一形状のフィルム１１，１１を用い、収容部１２の周囲を全周（４方）シールした平袋である。２枚のフィルムの代わりに、１枚のフィルムを２つ折りにして用いることもできる。この場合、２つ折りにした辺のシールは、省略してもよく、折り線から任意の幅をシールしてもよい。
包装袋の内容物は、特に限定されるものではないが、液状物、粉体や顆粒体等の固体、あるいは粘稠体、液体等、あるいはこれらの混合物などが挙げられる。
【００１６】
本実施形態の注出口１４は、フィルム１１とは別体の成形品で構成された部材（スパウト）である。注出口１４の材質は、フィルム１１の内面のシーラント層と熱溶着する観点から、ポリエチレン、ポリプロピレン、エチレン酢酸ビニル共重合体（ＥＶＡ）などのポリオレフィン系樹脂が好適である。
【００１７】
注出口１４の先端部には、流路を封止するため、キャップや蓋などが取り付けることができる。キャップや蓋は、ネジ、折り取り可能な薄肉部、はめ込み等によって注出口から分離可能に設けることができる。キャップや蓋は、注出口を開封した後、再封可能に設けることもできる。キャップや蓋の周囲には、開封を容易にするため、ローレット状の縦溝を設けたり、リング状や蝶羽状などのつまみ部を突出させたりすることも可能である。注出口の構成、形状等は特に限定されるものではなく、また、キャップは、注出口と別体でも、一体に成形されたものでも構わない。
【００１８】
本実施形態の包装袋１０は、収容部１２の周囲のシール部１３のうち、注出口１４が配置された辺１３ａとは異なる辺から、収容部１２を構成するフィルム１１が連続して形成された表示部１５を有する。表示部１５には、各種の表示や情報を印刷することができる。さらに、模様や図柄などを表示部１５に掲載することができる。表示部１５が収容部１２と同程度の面積を有するので、多くの情報を表示部１５に記載することができる。
表示部１５は、シール部１３と同様に２枚のフィルムを重ね合わせ、内面をシールして形成してもよい。１枚のフィルムのみを連続させて表示部１５を形成してもよい。表示部１５上の表示は、片面のみに設けてもよく、両面に設けてもよい。
【００１９】
シール部１３のうち表示部１５が形成された辺１３ｂに沿って、切り取り線１６が形成されている。切り取り線１６は、フィルムの厚さ方向に貫通する加工部または非貫通の加工部を、線に沿って連続または不連続（断続的）に形成することにより、フィルムの引き裂きを容易にした補助線であることが好ましい。切り取り線１６に沿って、印刷により線を表示してもよい。切り取り線としては、ミシン目やハーフカット溝、断続する孔などが挙げられる。ハーフカット溝は、レーザー照射によりフィルムの内部を加工したり、切り込みによりフィルムの表面（片面または両面）を加工したりすることにより形成できる。ミシン目や孔は、刃物や金型等を用いて、切り込みや打ち抜き等により形成できる。
【００２０】
本実施形態の包装袋１０の表示部１５は、注出口１４に対して略直角な方向に伸びている。表示部１５を残したままでも、表示部１５が注出口１４の開閉の邪魔にならないし、注出口１４が閉じたままでも、注出口１４が表示部１５の切り取りの邪魔にならない。このため、注出口１４を開封する前でも表示部１５を分離することが可能であり、表示部１５を分離しなくても注出口１４を開封することが可能である。使用者は、表示部１５を分離するか、収容部１２に連続したままとするかどうかを任意に選択することができる。
【００２１】
さらに、本実施形態の包装袋１０は、シール部１３上の係止部１７と、表示部１５上の係止部１８を組み合わせることにより、図１（ｃ）に示すように、表示部１５を収容部１２の片側に重ね合わせて留めることができる。係止部１７，１８は、外形が平面視で略四角形状である包装袋１０の互いに対向する２辺に配置されている。収容部１２側の一辺に沿って係止部１７を、表示部１５側の一辺に沿って係止部１８を有する。
【００２２】
シール部１３上の係止部１７は、シール部１３のうち、表示部１５が形成された辺１３ｂに対して収容部１２を介して対向する辺１３ｃに設けられている。また、表示部１５上の係止部１８は、表示部１５の端部に設けられている。係止部１７，１８を係止させるには、表示部１５が形成された辺１３ｂに沿って表示部１５を折り込み、係止部１７，１８の位置合わせをすればよい。
【００２３】
係止部の構成は、特に限定されるものではない。ホック、ボタン、面ファスナー等の部材をフィルムに取り付けて係止部とすることもできる。また、一方にスリット状の長孔を形成し、他方にはスリットに差し込む凸状の突出部を形成してもよい。また、一方の端部を鉤状に折り返せば、他方を特に加工しなくても、一方の鉤状の端部を他方に係止することができる。図示例では、ホック等を一辺に数箇所（２箇所）を設けた構成を示す。しかし、本発明において係止部は、ホックやボタン等のように局所的に取り付けられるものに限らず、面ファスナー等のように辺に沿って長く延在して設けられるものでもよい。
【００２４】
図２に、本発明の包装袋の第２実施形態を示す。本実施形態の包装袋１０Ａは、図２（ａ）に示すように、表示部１５が、注出口１４に対して略反対の方向に伸びていること以外は、第１実施形態の包装袋１０と同様に構成されている。この場合も、注出口１４を開封する前に表示部１５を分離することが可能であり、また、表示部１５を分離せずに注出口１４を開封することも可能である。使用者は、表示部１５を分離するか、収容部１２に連続したままとするかどうかを任意に選択することができる。
【００２５】
本実施形態の包装袋１０Ａは、係止部１７，１８が、外形が平面視で略四角形状である包装袋１０Ａの互いに対向する２辺（係止部１７は収容部１２側の一辺、係止部１８は表示部１５側の一辺）に配置されている点も、第１実施形態の包装袋１０と同様である。
図２の場合、表示部１５が形成された辺１３ｂが、注出口１４が配置された辺１３ａに対向する位置にあるので、係止部１７が形成された辺１３ｃが、注出口１４が配置された辺１３ａと同一である。図２（ｂ）に示すように、注出口１４の近傍でシール部１３が膨らんでいるため、係止部１７は注出口１４から離れた箇所に設けることが好ましい。
係止部１７，１８を係止させるには、図２（ｃ）に示すように、表示部１５が形成された辺１３ｂに沿って表示部１５を折り込み、係止部１７，１８の位置合わせをすればよい。係止部の構成も、第１実施形態と同様に限定されず、種々の手段を採用可能である。
【００２６】
図３に、本発明の包装袋の第３実施形態を示す。本実施形態の包装袋１０Ｂは、収容部１２の周囲の２辺から表示部１５が延びている。また、切り取り線１６は、収容部１２の周囲の２辺に沿って形成され、収容部１２から表示部１５を容易に分離することが可能である。この場合も、注出口１４を開封する前に表示部１５を分離することが可能であり、また、表示部１５を分離せずに注出口１４を開封することも可能である。使用者は、表示部１５を分離するか、収容部１２に連続したままとするかどうかを任意に選択することができる。
【００２７】
表示部１５には吊り下げ孔１９が形成されている。吊り下げ孔１９の個数や配置は特に限定されないが、包装袋を吊り下げたとき、図に示すように注出口１４が横向きとなるようにしてもよい。また、包装袋を吊り下げたとき、注出口１４が下向きとなるようにしてもよい。
【００２８】
図３の包装袋１０Ｂでは、係止部を設けていないが、表示部が収容部周囲の２辺または３辺以上に設けられている場合であっても、第１または第２実施形態にならい、各辺に沿って表示部を折り畳み、係止部により表示部が折り畳まれた状態が維持できるように構成することも可能である。
【００２９】
本発明の包装袋を製造する方法は、特に限定されず、例えば、所定の袋寸法に裁断した１枚または２枚のフィルムをシーラー（加熱器）等で貼り合わせる方法や、１枚または２枚の帯状のフィルムを搬送しながら、ヒートシールと注出口の取り付けをした後に、所定の袋寸法に裁断する方法が挙げられる。
【００３０】
製袋機上で内容物を充填することも可能である。注出口が繰り返し開閉可能である場合は、包装袋に注出口を取り付けた後に、開いた注出口（キャップの取り付け前）を通して内容物を充填した後、キャップ等を取り付けて注出口を閉じる手順であってもよい。包装袋にキャップ付き注出口を取り付けた後に、キャップを外して開いた注出口を通して内容物を充填した後、キャップを再び取り付けて注出口を閉じる手順であってもよい。注出口の再封を必要としない方法としては、収容部の周囲のシール部の一部を、未シールのまま残しておき、未シール部を通して内容物を充填した後、未シール部をヒートシールにより閉じる手順が挙げられる。
【００３１】
以上、本発明を好適な実施形態に基づいて説明してきたが、本発明は上述の実施形態に限定されるものではなく、本発明の要旨を逸脱しない範囲で種々の改変が可能である。
【００３２】
上述の実施形態では、平袋に適用した例を示したが、自立袋やガゼット袋等に適用することも可能である。表示部を自立袋に適用する場合、両側部の下側に底部が挟み込まれ、底部が自立のために開くようになっているため、表示部は、底部が挟み込まれた位置より上側に設けることが好ましい。
【００３３】
注出口は、収容部の周囲の隅部に設けることもできる。例えば、収容部の周囲で上下左右の４辺にシール部が設けられていて、注出口が左上の隅部に配置されている場合、その隅部に隣接する２辺を除いた他の辺（右辺および／または下辺）に表示部を設けることが好ましい。
【００３４】
なお、注出口の取り付けは、２枚のフィルムの間に挟み込む形態に限られるものではない。例えば、いずれか１枚のフィルム（表側のフィルムまたは裏側のフィルムのいずれか）に設けた穴に注出口を取り付けてもよい。この場合、収容部の周囲の任意の辺に表示部を設けることができる。
【符号の説明】
【００３５】
１０，１０Ａ，１０Ｂ…包装袋、１１…フィルム、１２…収容部、１３…シール部、１３ａ…注出口が配置された辺、１３ｂ…表示部が形成された辺、１３ｃ…係止部が形成された辺、１４…注出口、１５…表示部、１６…切り取り線、１７，１８…係止部。
【図１】
2014227196.tif 000003
【図２】
2014227196.tif 000004
【図３】
2014227196.tif 000005